(57)【特許請求の範囲】
【請求項１】
筆記具の軸筒を取り囲む筒状のグリップ部材であって、
当該グリップ部材は、肉厚が大きい領域と肉厚が小さい領域とを有し、且つ、外面に前後方向に延びる一方の溝と周方向に延びる他方の溝とにより四方を囲まれた複数のブロックを有し、
前記肉厚が大きい領域と前記肉厚が小さい領域とは、周方向に沿って配置され、
前記肉厚が大きい領域における前記他方の溝の深さは、前記肉厚が小さい領域における当該他方の溝の深さよりも大きい
ことを特徴とするグリップ部材。
【請求項２】
前記複数のブロックは、前記肉厚が大きい領域において肉厚が大きく、前記肉厚が小さい領域において肉厚が小さい
ことを特徴とする請求項１に記載のグリップ部材。
【請求項３】
当該グリップ部材は、溝が形成されていない内方領域において、肉厚が大きい内方領域と肉厚が小さい内方領域とを有し、
前記肉厚が大きい領域は、前記肉厚が大きい内方領域に対応し、
前記肉厚が小さい領域は、前記肉厚が小さい内方領域に対応する
ことを特徴とする請求項１または２のいずれかに記載のグリップ部材。
【発明の詳細な説明】
【技術分野】
【０００１】
本発明は、筆記具の軸筒を取り囲むグリップ部材に関する。
【背景技術】
【０００２】
従来より、ゴム等の弾力を有するグリップ部材によって軸筒の外面が取り囲まれた筆記具（例えば、特許第４０４３３０５号公報（特許文献１））が知られている。グリップ部材は、筆記具の使用者が当該筆記具を把持した際に、その弾力によって当該使用者の指に加わる力を吸収して疲労を低減させ、更に、軸筒と指との間に大きな摩擦力を提供して使用者の指が軸筒に対して不所望に滑ってしまうことを防止する。これらのことによって、筆記具の握り心地及び書き心地が向上されている。
【０００３】
ところで、グリップ部材の弾力がどの程度であれば当該グリップ部材を有する筆記具の握り心地を良いと感じるかは、使用者の好みによって異なる。すなわち、グリップ部材が軟らかい方が握り心地が良いと感じる使用者もいるし、グリップ部材が硬い方が握り心地が良いと感じる使用者もいる。このため、多くの使用者にとって握り心地が良いと感じるグリップ部材の開発が望まれてはいたが、その実現は困難であった。
【先行技術文献】
【特許文献】
【０００４】
【特許文献１】特許第４０４３３０５号公報
【発明の概要】
【発明が解決しようとする課題】
【０００５】
本件発明者は鋭意検討を重ねた結果、グリップ部材に比較的軟らかい握り心地を提供する領域と比較的硬い握り心地を提供する領域とを設けることによって、前述の問題を解決し得ることを知見した。
【０００６】
本発明は、以上の知見に基づいている。すなわち、本発明の目的は、多くの使用者にとって握り心地が良いと感じるグリップ部材を提供することである。
【課題を解決するための手段】
【０００７】
本発明のグリップ部材は、筆記具の軸筒を取り囲む筒状であり、
肉厚が大きい領域と肉厚が小さい領域とを有し、外面に四方を溝で囲まれた複数のブロックが形成されている。
【０００８】
本発明によれば、肉厚が大きい領域が大きく変形し、肉厚が小さい領域がわずかに変形する。具体的には、肉厚が大きい領域では、その肉厚と四方の溝の存在によってブロック全体が大きく圧縮変形し、その一方で、肉厚が小さい領域では、ブロックが小さく圧縮変形する。このことによって、肉厚が大きい領域において使用者に軟らかい握り心地が提供され、肉厚が小さい領域において使用者に硬い握り心地が提供されるため、多くの使用者にとって握り心地が良いと感じるグリップ部材を提供することができる。
【０００９】
また、ブロックは四方を溝で囲まれているため、使用者の指が溝に引っ掛かることにより、グリップ部材の周方向に不所望に滑ることが抑制され得る。更に使用者の指が溝に引っ掛かることにより、グリップ部材の軸方向に不所望に滑ることが抑制され得る。
【００１０】
好ましくは、前記ブロックは、前記肉厚が大きい領域において肉厚を大きく、前記肉厚が小さい領域において肉厚を小さくする。この場合、特に肉厚が大きい領域においてグリップ部材のブロックの圧縮変形が容易となるため、当該領域においてより軟らかい握り心地が提供され得る。
【００１１】
また、好ましくは、当該グリップ部材は、溝が形成されていない内方領域において、肉厚が大きい内方領域と肉厚が小さい内方領域とを有し、
前記肉厚が大きい領域は、前記肉厚が大きい内方領域に対応し、
前記肉厚が小さい領域は、前記肉厚が小さい内方領域に対応する。
【００１２】
この場合、特に肉厚が大きい領域において、圧縮変形と撓み変形とのバランスが良好となり、多くの使用者にとって一層握り心地が良いと感じるグリップ部材を提供することができる。
【発明の効果】
【００１３】
本発明によれば、肉厚が大きい領域が大きく変形し、肉厚が小さい領域がわずかに変形することによって、肉厚が大きい領域において使用者に軟らかい握り心地が提供され、肉厚が小さい領域において使用者に硬い握り心地が提供されるため、多くの使用者にとって握り心地が良いと感じるグリップ部材を提供することができる。
【図面の簡単な説明】
【００１４】
【図１Ａ】本発明の一実施の形態による筆記具を示す概略平面図である。
【図１Ｂ】図１Ａの筆記具を示す概略側面図であって、筆記体の筆記部が軸筒の先端から繰り出された状態を示す概略側面図である。
【図２】図１Ａの筆記具を示す概略縦断面図である。
【図３】図１Ａの筆記具の前軸とグリップ部材とが組み付けられた状態を示す部分的な概略斜視図である。
【図４】図１Ａの筆記具の前軸を示す概略斜視図である。
【図５】図３の前軸及びグリップ部材の概略縦断面図である。
【図６】図３の前軸及びグリップ部材の概略横断面図である。
【図７】図１ＡのＶＩＩ−ＶＩＩ線断面図であり、軸筒内の筆記体は省略されている。
【図８】図１ＡのＶＩＩＩ−ＶＩＩＩ線断面図であり、軸筒内の筆記体は省略されている。
【図９】図１ＡのＩＸ−ＩＸ線断面図であり、軸筒内の筆記体は省略されている。
【発明を実施するための形態】
【００１５】
以下に、添付の図面を参照して本発明の一実施の形態を詳細に説明する。
【００１６】
図１Ａは、本発明の一実施の形態による筆記具１００を示す概略平面図であり、図１Ｂは、図１Ａの筆記具１００を示す概略側面図であって、筆記体５０の筆記部５１が軸筒１０の先端から繰り出された状態を示す概略側面図である。図２は、図１Ａの筆記具１００を示す概略縦断面図である。
【００１７】
図１Ａ、図１Ｂ及び図２に示すように、本実施の形態の筆記具１００は、前軸２０及び前軸２０に例えば乗り越し嵌合によって連結された後軸３０を有する軸筒１０と、前軸２０の外面を周方向に取り囲むグリップ部材４０と、軸筒１０内に出没可能に収容された筆記体５０と、を備えている。一例として、前軸２０及び後軸３０は樹脂製であり、グリップ部材４０はゴム製である。図示された例において、筆記具１００はボールペンである。
【００１８】
軸筒１０（前軸２０）は、前端に筆記体５０の筆記部５１が突出可能な第１開口部２１が形成されている。また、軸筒１０（前軸２０）は、前方領域の内面に第１係合部２２を有している。筆記体５０は、前軸２０の第１係合部２２より後方（図２における右方）の外面に第２係合部５２を有している。そして、これら第１及び第２係合部２２、５２の間にコイルバネ６０が圧縮状態で配置されている。このコイルバネ６０は、筆記体５０を軸筒１０の軸方向後方（図１Ａ乃至図２における右方）に付勢するためのものである。筆記体５０の後端５０ｅは、後軸３０内の後方領域に設けられた回転カム２３に当接して軸筒１０の軸方向後方への相対移動が規制されていて、これにより、コイルバネ６０の圧縮状態が維持されるようになっている。
【００１９】
ノック部材７０は、筆記体５０をコイルバネ６０の付勢力に対抗して筆記体５０を前軸２０の第１開口部２１から突出させるための部材である。このノック部材７０は、筆記体５０を軸筒１０の軸方向前方（図１Ａ乃至図２における左方）に移動させて当該筆記体５０の筆記部５１が第１開口部２１から外方に突出した状態に対応する突出位置（図１Ｂ参照）と、筆記体５０の筆記部５１が前軸２０内に没入した状態に対応する没入位置（図１Ａ参照）と、の間を移動可能となっている。図１Ａ及び図１Ｂに示すように、ノック部材７０の後端７０ｅは、突出位置及び没入位置の双方において後軸３０の後端の第２開口部３１から外方に突出している。
【００２０】
なお、本実施の形態の筆記具１００は、軸筒１０内に筆記体５０の筆記芯５１の出没切替のための回転カム２３と当該回転カム２３に係合するカム溝（図示せず）を有するカム機構が設けられている。後に詳述されるが、筆記体５０の筆記部５１が前軸２０内に没入した状態（図１Ａ参照）でノック部材７０が押圧操作（ノック操作）されると、回転カム２３がカム溝に沿って摺動し、筆記体５０の筆記部５１が前軸２０の第１開口部２１から外方へ突出され、更に、カム機構の作用によって回転カム２３が回転されることによって、軸筒１０の軸方向後方への筆記体５０の相対移動が禁止され、押圧操作の終了後もこの突出状態が維持されるようになっている。また、この突出状態で再度ノック部材７０が押圧操作（ノック操作）されると、カム機構の作用によって軸筒１０の軸方向後方への筆記体５０の相対移動が許容され、コイルバネ６０の付勢力によって筆記体５０及びノック部材７０が軸方向後方に押し戻されて初期状態が復帰されるようになっている。
【００２１】
次に、図３は、図１Ａの筆記具１００の前軸２０とグリップ部材４０とが組み付けられた状態を示す部分的な概略斜視図である。図４は、図１Ａの筆記具１００の前軸２０を示す概略斜視図であり、図５は、図３の前軸２０及びグリップ部材４０を示す概略縦断面図であり、図６は、図３の前軸２０及びグリップ部材４０を示す概略横断面図である。
【００２２】
図３に示すように、本実施の形態の筆記具１００の前軸２０の外面は、グリップ部材４０で取り囲まれている。グリップ部材４０は、例えば２色成形によって前軸２０と共に製造され得る。グリップ部材４０の外面には軸方向に等間隔で延びる１６本の軸方向に延びる一方の溝４１と一方の溝から直交方向に等間隔で延びる１８本の他方の溝４２とがそれぞれ形成されている。すなわち、本実施の形態のグリップ部材４０の外面には、四方を一方の溝４１及び他方の溝４２で囲まれた複数の矩形領域（ブロック４０ｂ）に区画されている。
【００２３】
図４及び図５に示すように、本実施の形態の前軸２０は、グリップ部材４０によって取り囲まれていない領域である前端領域２４と、グリップ部材４０によって取り囲まれる被覆領域２５と、を有している。前端領域２４は、横断面が円環状であり、前方（図４における左下方）に向かって先細りとなっている。前端領域２４の後端の外径は、被覆領域２５の前端の外径よりもグリップ部材４０の厚み分だけ大径となっており、被覆領域２５がグリップ部材４０で取り囲まれた状態において前端領域２４の後端とグリップ部材４０の前端との間に段差が生じないようになっている。
【００２４】
また、図４及び図５に示すように、被覆領域２５の外面は、面取り部２６を有している。面取り部２６は、円筒状の被覆領域２５の外面が抉られて形成された長円状の領域である。図４には２つの面取り部２６のみが示されているが、実際には、面取り部２６は、前軸２０の周方向の３箇所に等間隔で設けられている。図５においては、前軸２０の被覆領域２５の断面が視認されるが、上方部分の断面２５ａには面取り部２６が現れておらず、当該被覆領域２５の肉厚が軸方向において一定である。一方、下方部分の断面２５ｂには面取り部２６が現れており、当該前軸２０の肉厚が軸方向において変動（面取り部２６において減少）している。
【００２５】
図６に示すように、前軸２０の内面は、横断面が略円形である。また、グリップ部材４０の外面は、横断面が略円形である。ここで、略円形であるとは、前軸２０の内面に存在する凹凸を無視した場合に当該内面の輪郭線が円形であること、あるいは、グリップ部材４０の外面に形成された一方の溝４１及び他方の溝４２による凹部を無視した各ブロック４０ｂの輪郭線（稜線）が円形であること、を意味している。また、図６に示すように、グリップ部材４０の内面及び前軸２０の被覆領域２５の外面、とりわけ、グリップ部材４０の内面及び被覆領域２５に設けられた面取り部２６が、隙間無く接触している。
【００２６】
すなわち、面取り部２６に対応する部位において、グリップ部材４０の肉厚は変動している。更に、前軸２０の被覆領域２５の肉厚は、面取り部２６の存在によって周方向に沿って変動している。そして、グリップ部材４０の肉厚が大きい領域４３は、前軸２０の肉厚が小さい領域、すなわち面取り部２６の外面を取り囲んでおり、グリップ部材４０の肉厚が小さい領域４４は、前軸２０の肉厚が大きい領域２７の外面を取り囲んでいる。
【００２７】
ここで、前軸２０及びグリップ部材４０の構成について、図７乃至図９を参照して更に詳細に説明する。図７は、図１ＡのＶＩＩ−ＶＩＩ線断面図であり、図８は、図１ＡのＶＩＩＩ−ＶＩＩＩ線断面図であり、図９は、図１ＡのＩＸ−ＩＸ線断面図である。図７乃至図９において、前軸２０内の筆記体５０の図示は省略されている。
【００２８】
図７及び図８に示すように、図１ＡのＶＩＩ−ＶＩＩ線の位置及びＶＩＩＩ−ＶＩＩＩ線の位置では、前軸２０の被覆領域２５に面取り部２６が存在しており、前軸２０の肉厚が小さい領域である面取り部２６と前軸２０の肉厚が大きい領域２７とが周方向に等間隔で交互に存在している。そして、前述の通り、グリップ部材４０の肉厚が大きい領域４３は面取り部２６の外面を取り囲んでおり、グリップ部材４０の肉厚が小さい領域４４は前軸２０の肉厚が大きい領域２７の外面を取り囲んでいる。
【００２９】
また、図７に示すように、グリップ部材４０の外面に形成されたブロック４０ｂ（矩形領域）は、その肉厚が変動している。具体的には、ブロック４０ｂは、グリップ部材４０の肉厚が大きい領域４３においてブロック４０ｂの肉厚が大きく（厚さｄ１）、グリップ部材４０の肉厚が小さい領域４４においてブロック４０ｂの肉厚が小さい（厚さｄ２）。このようなブロック４０ｂの厚さの変動は、図８において特に顕著である。図８に対応する図１ＡのＶＩＩＩ−ＶＩＩＩ線は、面取り部２６の厚さが最も大きく周方向の幅が最も大きい位置に対応している。このため、図８の面取り部２６は前軸２０の肉厚が最も小さく、当該面取り部２６の外面を取り囲むグリップ部材４０は肉厚が最も大きい。図８に示すように、グリップ部材４０の肉厚が大きい領域４３において、ブロック４０ｂの最大厚さはｄ１’（＞ｄ１）である。一方、図８のグリップ部材４０の肉厚が小さい領域４４において、ブロック４０ｂの最大厚さはｄ２であり、図７の場合と略同様である。
【００３０】
更に、図７及び図８に示すように、グリップ部材４０は、軸方向に延びる一方の溝４１及び一方の溝４１から直交方向に延びる他方の溝４２が形成されている外方領域４５と、一方の溝４１及び他方の溝４２が形成されていない内方領域４６（外方領域４５よりも径方向内側の領域）と、を有している。内方領域４６は、肉厚が大きい内方領域４６ａと肉厚が小さい内方領域４６ｂとを有している。そして、グリップ部材４０の肉厚が大きい領域４３は、肉厚が大きい内方領域４６ａに対応しており、グリップ部材４０の肉厚が小さい領域４４は、肉厚が小さい内方領域４６ａに対応している。ここで、「対応している」とは、グリップ部材４０の周方向において略同じ位置に存在していることを意味している。
【００３１】
一方、図９に示すように、前軸２０の被覆領域２５のうち面取り部２６よりも後方の領域においては、前軸２０の肉厚は一定であり、グリップ部材４０の肉厚も一定である。更に、ブロック４０ｂの厚さも一定である。
【００３２】
次に、本発明の筆記具１００の作用について説明する。
【００３３】
まず、使用者によってノック部材７０が軸筒１０に対して押圧操作（ノック操作）される。これにより、筆記体５０は、コイルバネ６０を圧縮しつつ軸筒１０の軸方向前方に相対移動し、筆記体５０の筆記部５１が前軸２０の前端の開口部２１から外方に露出する。この相対移動時に、筆記体５０は、カム機構２３によって軸筒１０の軸方向後方への相対移動が不可能とされ、押圧操作（ノック操作）を終了しても筆記部５１の突出状態が維持される。そして、使用者によってグリップ部材４０が把持され、紙面等の筆記対象面に筆記が行われる。
【００３４】
本実施の形態のグリップ部材４０は、使用者によって把持された際に、当該使用者の指が押し当てられる領域に応じて異なる握り心地を提供する。具体的には、グリップ部材４０の肉厚が大きい領域４３に使用者の指が押し当てられた場合には、当該使用者に軟らかい握り心地を提供する。その一方、グリップ部材４０の肉厚が小さい領域４４に使用者の指が押し当てられた場合には、当該使用者に硬い握り心地を提供する。前述の通り、グリップ部材４０の肉厚が大きい領域４３とグリップ部材４０の肉厚が小さい領域４４とは、周方向に交互に等間隔で３箇所ずつ配置されているため、使用者のある指（例えば親指）がグリップ部材４０の肉厚が大きい領域４３に押し当てられると、通常、他の指（例えば人差し指及び中指）も残り２箇所の肉厚が大きい領域４３に押し当てられる。同様に、使用者のある指（例えば親指）がグリップ部材４０の肉厚が小さい領域４４に押し当てられると、通常は他の指（例えば人差し指及び中指）も残り２箇所の肉厚が小さい領域４４に押し当てられる。
【００３５】
この把持の際、グリップ部材４０は、使用者の指によって加えられる力によって径方向に圧縮変形される。とりわけ、グリップ部材４０の肉厚が大きい領域４３に使用者の指が押し当てられると、肉厚が小さい領域４４に使用者の指が同一の力で押し当てられた場合よりも大きく圧縮変形される。更に、前述の通り、グリップ部材４０の肉厚が大きい領域４３では、グリップ部材４０の肉厚が小さい領域４４よりもブロック４０ｂの肉厚を厚く設けているため、使用者の指が押し当てられた際に四方を溝で囲まれたグリップ部材４０の個々のブロック４０ｂが四方に撓み変形しやすい。これらのことによって、グリップ部材４０の肉厚が大きい領域４３においては、使用者に対して軟らかい握り心地が提供される。
【００３６】
一方、グリップ部材４０の肉厚が小さい領域４４に使用者の指が押し当てられると、グリップ４０は、肉厚が大きい領域４３に使用者の指が押し当てられた場合よりも小さく圧縮変形される。更に、グリップ部材４０の肉厚が小さい領域４４ではブロック４０ｂの肉厚も最小であることから、ブロック４０ｂは、わずかな量しか撓み変形しない。従って、グリップ部材４０の肉厚が小さい領域４４においては、使用者に対して硬い握り心地が提供される。更に、本実施の形態では、前軸２０の面取り部２６の外面とグリップ部材４０の肉厚が大きい領域４３の内面とが隙間無く接触していて、この接触面の横断面が非円形となっていることにより、前軸２０に対するグリップ部材４０の相対回転が防止される（図７及び図８参照）。
【００３７】
筆記具１００による筆記が終了すると、使用者によって再度ノック部材７０が軸筒１０の軸方向前方に押圧操作（ノック操作）される。これにより、筆記体５０がコイルバネ６０の付勢力に対抗して軸筒１０の前方に相対移動される。この相対移動時に、筆記体５０は、カム機構２３によって軸筒１０の軸方向後方に相対移動可能な状態とされる。そして、押圧操作（ノック操作）が終了すると、コイルバネ６０の付勢力によって軸筒１０の軸方向後方へと相対移動され、初期状態、すなわち筆記体５０の筆記部５１が軸筒１０内に没入した状態が復帰される。
【００３８】
以上のような本実施の形態によれば、グリップ部材４０の肉厚が大きい領域４３が大きく変形し、グリップ部材４０の肉厚４４が小さい領域がわずかに変形する。具体的には、グリップ部材４０の肉厚が大きい領域４３では、その肉厚と溝４１、４２の存在によってブロック４０ｂ全体が大きく圧縮変形し、その一方で、グリップ部材４０の肉厚が小さい領域４４では、ブロック４０ｂが小さく圧縮変形する。このことによって、グリップ部材４０の肉厚が大きい領域４３において使用者に軟らかい握り心地が提供され、グリップ部材４０の肉厚が小さい領域４４において使用者に硬い握り心地が提供されるため、多くの使用者にとって握り心地が良いと感じるグリップ部材４０を提供することができる。
【００３９】
また、ブロック４０ｂは四方を溝４１、４２で囲まれているため、使用者の指が一方の溝４１に引っ掛かることにより、グリップ部材４０の周方向に不所望に滑ることが抑制され得る。更に使用者の指が他方の溝４２に引っ掛かることにより、グリップ部材４０の軸方向に不所望に滑ることが抑制され得る。
【００４０】
ブロック４０ｂは、グリップ部材４０の肉厚が大きい領域４３において肉厚が大きく、グリップ部材４０の肉厚が小さい領域４４において肉厚が小さい。このため、特にグリップ部材４０の肉厚が大きい領域４３においてグリップ部材４０のブロック４０ｂの圧縮変形が容易となるため、当該領域においてより軟らかい握り心地が提供され得る。
【００４１】
本実施の形態のグリップ部材４０は、一方の溝４１及び他方の溝４２が形成されていない内方領域４６において、肉厚が大きい内方領域４６ａと肉厚が小さい内方領域４６ｂとを有している。肉厚が大きい領域４３は、肉厚が大きい内方領域４６ａに対応し、肉厚が小さい領域４４は、肉厚が小さい内方領域４６ｂに対応している。これらのことにより、特に肉厚が大きい領域４３において、圧縮変形と撓み変形とのバランスが良好となり、多くの使用者にとって一層握り心地が良いと感じるグリップ部材４０を提供することができる。
【００４２】
なお、本実施の形態では、軸方向に延びる一方の溝４１と、一方の溝から直交方向に延びる他方の溝によって、ブロック４０ｂ（矩形領域）が形成されているが、他の実施の形態においては、円環状に形成した溝によって四方が溝で囲まれたブロック４０ｂ（円環領域）が形成されていても良い。
【００４３】
尚、本実施形態では、ブロック４０ｂの厚さは、厚さが一定でない場合は、その最大厚さをブロックの厚さとする。
【００４４】
また、本実施の形態では、筆記具１００としてボールペンを例にして説明を行ったが、これに限定されるものではない。筆記体５０を適宜選択することにより、シャープペン、サインペン、修正ペン等、各種の筆記具に対して本発明を適用することができる。
【符号の説明】
【００４５】
１０  軸筒
２０  前軸
２１  第１開口部
２２  第１係合部
２３  回転カム
２４  前端領域
２５  被覆領域
２５ａ  上方部分の断面
２５ｂ  下方部分の断面
２６  面取り部
２７  前軸の肉厚が大きい領域
３０  後軸
３１  第２開口部
４０  グリップ部材
４０ｂ  ブロック
４１  一方の溝
４２  他方の溝
４３  グリップ部材の肉厚が大きい領域
４４  グリップ部材の肉厚が小さい領域
４５  外方領域
４６  内方領域
４６ａ  肉厚が大きい内方領域
４６ｂ  肉厚が小さい内方領域
５０  筆記体
５０ｅ  筆記体の後端
５１  筆記部
５２  第２係合部
６０  コイルバネ
７０  ノック部材
７０ｅ  ノック部材の後端
１００  筆記具
【図１Ａ】
0006665005.tif 000002
【図１Ｂ】
0006665005.tif 000003
【図２】
0006665005.tif 000004
【図３】
0006665005.tif 000005
【図４】
0006665005.tif 000006
【図５】
0006665005.tif 000007
【図６】
0006665005.tif 000008
【図７】
0006665005.tif 000009
【図８】
0006665005.tif 000010
【図９】
0006665005.tif 000011